(57)【要約】    【課題】  柔構造をもった新規な懸垂式カーテンウォール遮水板組立体を提供する。    【解決手段】  一端が海底に固定された支持部材と、この支持部材に対して、上端部をヒンジ構造で懸垂し、波浪に追従して可動な遮水板組立体とを備え、遮水板組立体の下端部と前記水底の間に、比較的低温の深層の水を取水する取水口を形成する懸垂式カーテンウォール遮水板組立体である。【選択図】  図６
2005105720.tif 000002
【特許請求の範囲】
【請求項１】
一端が水底に固定された支持部材と、
前記支持部材に対して、上端部をヒンジ構造で懸垂し、水の動きに追従して可動な遮水板組立体とを備え、
前記遮水板組立体の下端部と前記水底の間に、比較的低温の深層の水を取水する取水口を形成する、懸垂式カーテンウォール遮水板組立体。
【請求項２】
請求項１に記載の懸垂式カーテンウォール遮水板組立体において、前記複数本の支持部材は、
複数本の鋼管杭と、
前記鋼管杭の上端部同士を連結した鋼管とを有する、懸垂式カーテンウォール遮水板組立体。
【請求項３】
請求項１に記載の懸垂式カーテンウォール遮水板組立体において、
前記支持部材は、重防食処理が施されている、懸垂式カーテンウォール遮水板組立体。
【請求項４】
請求項２に記載の懸垂式カーテンウォール遮水板組立体において、
前記複数本の支持部材の各々は、コンクリートで巻いた杭基礎により水底に固定されている、懸垂式カーテンウォール遮水板組立体。
【請求項５】
請求項１に記載の懸垂式カーテンウォール遮水板組立体において、
前記ヒンジ構造は、交換可能である、懸垂式カーテンウォール遮水板組立体。
【請求項６】
請求項１に記載の懸垂式カーテンウォール遮水板組立体において、
前記遮水板組立体は、複数個の遮水板を有し、これら遮水板は相互に独立に懸垂されている、懸垂式カーテンウォール遮水板組立体。
【請求項７】
請求項１に記載の懸垂式カーテンウォール遮水板組立体において、前記遮水板組立体は、
複数個の遮水板と、
隣接する前記遮水板を連結する連結部材とを有している、懸垂式カーテンウォール遮水板組立体。
【請求項８】
請求項７に記載の懸垂式カーテンウォール遮水板組立体において、
前記遮水板は、前記連結部材から取り外し可能であり、該遮水板単体で交換可能である、懸垂式カーテンウォール遮水板組立体。
【請求項９】
請求項７に記載の懸垂式カーテンウォール遮水板組立体において、前記遮水板は、
普通コンクリートで形成された外壁と、
隔壁であるＨ形綱とを有する、懸垂式カーテンウォール遮水板組立体。
【請求項１０】
請求項７に記載の懸垂式カーテンウォール遮水板組立体において、
前記遮水板は、更に、周辺部に緩衝材を有し、該遮水板同士の接触破壊を防止している、懸垂式カーテンウォール遮水板組立体。
【請求項１１】
請求項７に記載の懸垂式カーテンウォール遮水板組立体において、
前記遮水板は、内部空間に発泡スチロールを充填して重量を調整している、懸垂式カーテンウォール遮水板組立体。
【請求項１２】
請求項７に記載の懸垂式カーテンウォール遮水板組立体において、
前記遮水板の長さは、前記取水口の所望の開口高によって決定される、懸垂式カーテンウォール遮水板組立体。
【請求項１３】
請求項７に記載の懸垂式カーテンウォール遮水板組立体において、
前記連結部材は、ワイヤ又はチェーンからなる、懸垂式カーテンウォール遮水板組立体。
【請求項１４】
請求項７に記載の懸垂式カーテンウォール遮水板組立体において、更に、
隣接する前記遮水板の間隙には、該遮水板の動きに追随可能なフレキシブル遮水性連結部材を備えている、懸垂式カーテンウォール遮水板組立体。
【請求項１５】
請求項１に記載の懸垂式カーテンウォール遮水板組立体において、
前記支持部材は、海底に固定され、
前記遮水板は、波浪の伝搬に追従して揺動可能な構造であり、
前記遮水板は、陸地に沿って海洋に配置され、該遮水板の上端部は満潮時海面より上に位置している、懸垂式カーテンウォール遮水板組立体。
【請求項１６】
請求項１５に記載の懸垂式カーテンウォール遮水板組立体において、
前記遮水板組立体を形成する前記遮水板は、比較的短い幅と、比較的重い重量をもち、波力の影響を低減している、懸垂式カーテンウォール遮水板組立体。
【請求項１７】
請求項１５に記載の懸垂式カーテンウォール遮水板組立体において、
前記取水口から流入する比較的低温の深層の海水は、発電所の冷却水として利用される、懸垂式カーテンウォール遮水板組立体。
【請求項１８】
取水口構造物において、
陸地に沿って海洋に配置された、請求項１記載の懸垂式カーテンウォール遮水板組立体と、
前記遮水板組立体の陸側を浚渫して、前記取水口を通って流入した比較的低温の深層の海水を貯める貯水プールとを備え、
前記比較的低温の深層の海水は、発電所の冷却水として利用される、取水口構造物。
【請求項１９】
取水口の建造方法において、
複数本の鋼管杭を海底に打ち込み、
鋼管杭同士の頭部を鋼管で連結して杭頭部を形成し、
支柱、ヒンジ構造及び水の動きに対して可動な遮水板からなる遮水板組立体を、前記杭頭部に設置する、諸工程を含み、
前記遮水板の下端部と水底の間に、比較的低温の深層の水を取水する取水口を形成する、取水口の建造方法。
【発明の詳細な説明】
【技術分野】
【０００１】
本発明は、懸垂式カーテンウォール遮水板組立体に関し、更に具体的には、例えば、発電プラントにおいて利用される冷却水の取水口に使用して好適な懸垂式カーテンウォール遮水板組立体に関する。
【背景技術】
【０００２】
火力発電所及び原子力発電所のような発電プラントでは、蒸気流でタービン発電機を駆動して発電している。発電タービンは、入り口の蒸気圧と出口の蒸気圧との差で回転するため、タービン発電機駆動後の蒸気流を水に戻すことで出口の蒸気圧を下げることが不可欠である。このため、蒸気流をボイラ設備又は原子炉に戻す前に、多くは海水を冷却水として利用した復水器でこの蒸気流を冷却して水にしている。
【０００３】
従って、冷却水の取水は発電所プラントに近い海域で行われ、取水された比較的低温の海水は貯水プール又は復水貯蔵槽に貯水されて利用される。このとき、冷却水としての海水は、海水の内でも比較的深層から比較的低温の海水を取水することが好ましい。比較的浅層の比較的高温の海水を排除して、比較的低温の海水を選択的に利用することにより、タービン効率を向上し、利用後も比較的低温である温排水によれば環境への影響は減少し、比較的浅層の海水に含まれる浮遊塵芥、汚染物、プランクトン、貝類等の発電プラントへの流入を排除することができる。
【０００４】
なお、本出願書類で、用語「深層の海水」，「深層水」とは、一般に深層水と呼ばれ、近年、飲料等に利用されている水深２００ｍ程度より深い部分の海水のみ限定的に指称しているのではない。このような一般に深層水と呼ばれる海水のみならず、相対的に水深の深い、相対的に水温が低い海水一般をも含んだ広い概念であることに注意されたい。
【０００５】
従来、冷却水を海洋から取水するとき、比較的深層の低温の海水を選択的に取水するための取水口として、重力式構造の取水口が知られている。従来の重力式構造の取水口は、遮水板に作用する波力を、組杭によって受け止めて支持する剛構造で構成されていた。
【０００６】
例えば、下記特許文献１の図４及び図５には、添付図面の図１及び図２に示すような２つのタイプの重力式構造のカーテンウォール式取水口の杭式構造が紹介されている。ここでは、符号３がカーテンウォール、４が遮水板（ＰＣ版）、５が鋼管杭、６が底版コンクリートである。
【０００７】
「剛構造」とは、防波堤のように、波浪エネルギーに対抗して不動状態を維持し、到達した波浪の伝搬を防ぐ機能をもった構造をいう。この剛構造の重力式構造の取水口を実現するためには、大規模で堅牢な杭打設工事、堅牢な遮水板を必要とし、その建設のための所用の日数、費用等も非常に大きなものであった。
【０００８】
しかし、取水口として必要な機能は、到達した波浪の伝搬を遮断する機能ではなく、比較的深層の低温の海水を選択的に取水する機能である。従って、取水口を到達した波浪の伝搬を遮断する剛構造で構築することは、本来の目的から検討すると、不必要なことである。
【０００９】
そこで、取水口の構造を、到達する波浪と共に遮水板が揺動して波浪の伝搬の透過を許容するような柔構造のカーテンウォール遮水板にすることが提案されている。
【００１０】
ここで、「柔構造」とは、波浪エネルギーに追従して可動状態にあり、到達した波浪の伝搬を実質的に透過する機能をもった構造をいう。
【００１１】
ここで、「カーテンウォール」とは、元来、建築分野の用語であり、工場で生産した部材を現場で組み立ててつくる外壁であって、鉄筋コンクリート建造物の壁のように壁で荷重を支える役割を持たない壁を指称する。即ち、用語「カーテンウォール」は、耐力壁(bearing wall)に対する概念であって、建築物の高層化に伴い、プレハブ化された外周壁の意味が定着したものである。転じて、本出願書類では、明細書取水口の遮水板に関して、プレハブ化されたものに対して使用する。
【特許文献１】本発明者等は、本出願人等の一社が平成１３年９月１４日に特願２００１−２８０１９７として出願し、平成１５年３月２８日に特開２００３−９００２９として出願公開された、発明の名称「冷却水のための取水口」に関して承知している。
【発明の開示】
【発明が解決しようとする課題】
【００１２】
上述したように、従来の剛構造のカーテンウォール式取水口は、大規模で堅牢な杭打設工事を必要とし、そのため工事の所用の日数、費用等も非常に大きなものであった。これを、比較的深層の低温の海水を選択的に取水する機能を持たせた簡易な柔構造のカーテンウォール式取水口を採用することで、工事の所用の日数、費用等を大幅に削減することが望まれていた。
【００１３】
ここで、前掲特開２００３−９００２９に開示する「冷却水のための取水口」は、柔構造のカーテンウォール式取水口の一種である。特開２００３−９００２９の図１及び図２には、添付図面の図３及び図４に示すような柔構造のカーテンウォール式取水口が紹介されている。ここでは、符号２は水路口、７は遮水板（ＰＣ版）、８は枢支部、９はアンカー（ボックスカルバート）、１０は深層水取水用の開口部、１１は枢支部、１２は浮体、１３    である。
【００１４】
しかし、その後の本発明者等による研究により、柔構造のカーテンウォール式取水口には、種々の構造が実現できることが判明した。
【００１５】
また、各種の柔構造のカーテンウォール式取水口を研究してみると、夫々、遮水板の構造、遮水板の位置決め手段、建設の容易さ、取水口の高さの変更の容易さ、保守管理の容易さ等において、他の柔構造のカーテンウォール式取水口では実現できない特徴、利点等が存在することが判明した。
【課題を解決するための手段】
【００１６】
従って、本発明は、柔構造をもった新規な懸垂式カーテンウォール遮水板組立体を提供することを目的とする。
【００１７】
更に、本発明は、建設の容易さ、取水口の高さの変更の容易さ、保守管理の容易さ等の特徴を有する柔構造をもった新規な懸垂式カーテンウォール遮水板組立体を提供することを目的とする。
【００１８】
本発明に係る懸垂式カーテンウォール遮水板組立体は、一端が水底に固定された支持部材と、前記支持部材に対して、上端部をヒンジ構造で懸垂し、水の動きに追従して可動な遮水板組立体とを備え、前記遮水板組立体の下端部と前記水底の間に、比較的低温の深層の水を取水する取水口を形成する。
【００１９】
更に、本発明に係る懸垂式カーテンウォール遮水板組立体は、上述の懸垂式カーテンウォール遮水板組立体であって、前記複数本の支持部材は、複数本の鋼管杭と、前記鋼管杭の上端部同士を連結した鋼管とを有する。
【００２０】
更に、本発明に係る懸垂式カーテンウォール遮水板組立体は、上述の懸垂式カーテンウォール遮水板組立体であって、前記支持部材は、重防食処理が施されている。
【００２１】
更に、本発明に係る懸垂式カーテンウォール遮水板組立体は、上述の懸垂式カーテンウォール遮水板組立体であって、前記複数本の支持部材の各々は、コンクリートで巻いた杭基礎により水底に固定されている。
【００２２】
更に、本発明に係る懸垂式カーテンウォール遮水板組立体は、上述の懸垂式カーテンウォール遮水板組立体であって、前記ヒンジ構造は、交換可能である。
【００２３】
更に、本発明に係る懸垂式カーテンウォール遮水板組立体は、上述の懸垂式カーテンウォール遮水板組立体であって、前記遮水板組立体は、複数個の遮水板を有し、これら遮水板は相互に独立に懸垂されている。
【００２４】
更に、本発明に係る懸垂式カーテンウォール遮水板組立体は、上述の懸垂式カーテンウォール遮水板組立体であって、前記遮水板組立体は、複数個の遮水板と、隣接する前記遮水板を連結する連結部材とを有している。
【００２５】
更に、本発明に係る懸垂式カーテンウォール遮水板組立体は、上述の懸垂式カーテンウォール遮水板組立体であって、前記遮水板は、前記連結部材から取り外し可能であり、該遮水板単体で交換可能である。
【００２６】
更に、本発明に係る懸垂式カーテンウォール遮水板組立体は、上述の懸垂式カーテンウォール遮水板組立体であって、前記遮水板は、普通コンクリートで形成された外壁と、隔壁であるＨ形綱とを有する。
【００２７】
更に、本発明に係る懸垂式カーテンウォール遮水板組立体は、上述の懸垂式カーテンウォール遮水板組立体であって、前記遮水板は、更に、周辺部に緩衝材を有し、該遮水板同士の接触破壊を防止している。
【００２８】
更に、本発明に係る懸垂式カーテンウォール遮水板組立体は、上述の懸垂式カーテンウォール遮水板組立体であって、前記遮水板は、内部空間に発泡スチロールを充填し、重量を調整している。
【００２９】
更に、本発明に係る懸垂式カーテンウォール遮水板組立体は、上述の懸垂式カーテンウォール遮水板組立体であって、前記遮水板の長さは、前記取水口の所望の開口高によって決定される。
【００３０】
更に、本発明に係る懸垂式カーテンウォール遮水板組立体は、上述の懸垂式カーテンウォール遮水板組立体であって、前記連結部材は、ワイヤ又はチェーンからなる。
【００３１】
更に、本発明に係る懸垂式カーテンウォール遮水板組立体は、上述の懸垂式カーテンウォール遮水板組立体であって、更に、隣接する前記遮水板の間隙には、該遮水板の動きに追随可能なフレキシブル遮水性連結部材を備えている。
【００３２】
更に、本発明に係る懸垂式カーテンウォール遮水板組立体は、上述の懸垂式カーテンウ
ォール遮水板組立体であって、前記支持部材は、海底に固定され、前記遮水板は、波浪の伝搬に追従して揺動可能な構造であり、前記遮水板は、陸地に沿って海洋に配置され、該遮水板の上端部は満潮時海面より上に位置している。
【００３３】
更に、本発明に係る懸垂式カーテンウォール遮水板組立体は、上述の懸垂式カーテンウォール遮水板組立体であって、前記遮水板組立体を形成する前記遮水板は、比較的短い幅と、比較的重い重量をもち、波力の影響を低減している。
【００３４】
更に、本発明に係る懸垂式カーテンウォール遮水板組立体は、上述の懸垂式カーテンウォール遮水板組立体であって、前記取水口から流入する比較的低温の深層の海水は、発電所の冷却水として利用される。
【００３５】
更に、本発明に係る取水口構造物は、陸地に沿って海洋に配置された、上述の懸垂式カーテンウォール遮水板組立体と、前記遮水板組立体の陸側を浚渫して、前記取水口を通って流入した比較的低温の深層の海水を貯める貯水プールとを備え、前記比較的低温の深層の海水は、発電所の冷却水として利用される。
【００３６】
更に、本発明に係る取水口の建造方法は、複数本の鋼管杭を海底に打ち込み、鋼管杭同士の頭部を鋼管で連結して杭頭部を形成し、支柱、ヒンジ構造及び水の動きに対して可動な遮水板からなる遮水板組立体を、前記杭頭部に設置する、諸工程を含み、前記遮水板の下端部と水底の間に、比較的低温の深層の水を取水する取水口を形成する。
【発明の効果】
【００３７】
本発明によれば、柔構造をもった新規な懸垂式カーテンウォール遮水板組立体を提供することができる。
【００３８】
更に、本発明によれば、建設の容易さ、取水口の高さの変更の容易さ、保守管理の容易さ等の特徴を有する柔構造をもった新規な懸垂式カーテンウォール遮水板組立体を提供することができる。
【発明を実施するための最良の形態】
【００３９】
以下、本発明に係る懸垂式カーテンウォール遮水板組立体の実施の形態について、添付の図面を参照して詳細に説明する。
【００４０】
まず最初に、懸垂式カーテンウォール遮水板組立体２０のイメージを容易に把握できるように、全体的に概説する。
【００４１】
図５は懸垂式カーテンウォール遮水板組立体２０を上方から見た平面図、図６は正面図、図７は図５のI−I方向から見た断面図、図８は遮水板単体を説明するための拡大斜視図である。懸垂式カーテンウォール遮水板組立体２０は、陸地に近い、典型的には海底である水底に設置されている。
【００４２】
図５では、図面の上側が海の沖方向であり、下側が陸地方向である。矢印の方向は、波が押し寄せている方向である。波の押し寄せる方向に概して平行に、二列の護岸２１，２２がなされ、これらの護岸２１，２２の間に、懸垂式カーテンウォール遮水板組立体２０が設置される。
【００４３】
懸垂式カーテンウォール遮水板組立体２０は、海底から所望の高さに遮水板を位置決めして深層水を選択的に取水する取水口を形成している。そのため、遮水板は、適当な支持部材により所望の高さに位置決めする必要がある。
【００４４】
図８に示すように、遮水板２５を吊り下げる支持部材２７は、例えば、複数本の脚部２８，２９と、脚部相互を連結する２本の脚部連結部材３０，３１と、脚部連結部材間を亘り遮水板２５を懸垂している（即ち、吊り下げている）遮水板保持部材３２からなっている。同時に図５を参照すると分かりやすいが、に示すように、複数本の脚部２８，２９は、海方向と陸地方向にほぼ二列に海底に固定され、海方向の脚部２９は陸地方向の脚部２８に近づくように、陸地方向の脚部２８は海方向の脚部２９に近づくように、斜めに固定されている。陸地方向の複数本の脚部２８も同様に脚部連結部材３０によって相互に連結されている。同様に、海方向の複数本の脚部２９の各先端部は、脚部連結部材３１によって相互に連結されている。
【００４５】
２本の脚部連結部材間を、遮水板２５を懸垂するため遮水板保持部材３２が設けられている。遮水板保持部材３２には、適当な係合部材３４により、複数枚の遮水板２５が吊り下げられている。
【００４６】
遮水板の下端部と海底との距離を予め決定して、支持部材２７、遮水板等の寸法を算出することにより、遮水板２５の下端部と海底の間に、海方向からの浅層の比較的高温の海水を遮断し、比較的低温の深層の水のみを選択的に取水する取水口を形成することができる。
【００４７】
図７に示すように、遮水板２５は波浪を受けて、係合部材３４を中心に揺動する構造となっている。
【００４８】
図面を追って詳細に説明する。図５の平面図に示すように、水際（海岸縁）に概して垂直方向に、二列の護岸２１，２２が建設されている。これら護岸２１，２２の間に、懸垂式カーテンウォール遮水板組立体２０が、矢印で示す波の押し寄せる方向に対して概して垂直方向に設置されている。なお、遮水板組立体２０は、例えば数百メートルというように非常に長いため、その一部を省略して図示している。
【００４９】
陸地方向の複数本の脚部２８は、各先端部において、脚部連結部材３０によって連結されている。同様に、海方向に一列に固定された複数本の脚部２９も、各先端部において、脚部連結部材３１によって連結されている。対向する脚部先端部は、典型的にはコンクリートで形成された頭部カバー３３で覆われ固定されている。
【００５０】
図６を参照されたい。図中、符号３５は現在の海面であり、H.W.L.(High Water Level)は満潮時水位であり、L.W.L.(Low Water Level)は干潮時水位である。図６に示すように、複数の遮水板２５から成る遮水板組立体は、その上端部が常時海面から僅かに現れるように、支持部材２７に吊り下げられる。
【００５１】
懸垂式カーテンウォール遮水板組立体２０の必須機能は、取水水深の確保、即ち、海底２４から所望の高さｈに遮水板２５を位置決めして取水口２６の高さ（海底２４から遮水板下端までの長さ）を決定することにより、浅層の比較的高温の海水をせき止め、所望の比較的低温の深層水のみを取水することにある。そのため、遮水板２５は、適当な支持部材２７により所望の高さｈに位置決めされる。
【００５２】
遮水板２５を適当な位置決めすることにより、遮水板２５の下端部から海底２４までの間に、遮水口（開口）２６が形成され、深層の比較的低温の海水を選択的に取水できる。複数枚の遮水板２５から成る遮水板組立体は、浅層の比較的高温の海水の流入をせき止めるように、複数個の遮水板単体が一列状に配置されている。
【００５３】
図７に示すように、支持部材２７の遮水板保持部材３２から係合部材３４を用いて吊り下げられた各遮水板２５は、波浪に対して係合部材３４を中心に揺動することができる。図１及び２に関連して説明した従来の剛構造の遮水板は、波浪エネルギーに対抗して不動状態を維持して、到達した波浪の伝搬を防いでいた。しかし、本実施形態に係る柔構造の遮水板２５は、到達した波浪の伝搬を防ぐのではなく、波浪のエネルギーを透過して伝搬しつつ比較的浅層の比較的高温の海水の流入を遮断し、比較的深層の比較的低温の海水の流入を選択的に許容している。
【００５４】
本発明者等は、懸垂式カーテンウォール遮水板組立体２０の重要な設計条件は、係合部（「結合部」，「接合部」ともいう。例えば、ヒンジ部）３４の水平方向作用力ｆと遮水板２５の振れ角αにあると判断している。ヒンジ部３４の水平方向作用力ｆは、脚部２８，２９の強度決定、即ち、各脚部の径、隣接する脚部の間隔、脚部２８，２９の海底２４に対する打ち込み深さ等を決定するために必須のデータである。
【００５５】
懸垂式カーテンウォール遮水板組立体建設の候補の１つをモデル地点にして、このモデル地点の波浪条件で二次元水路水理実験を行った結果、ヒンジ部３４の水平方向作用力ｆは、波浪が海岸に到達した時に衝突する、波浪方向に垂直に設けられた護岸（図９の符号４２）による波浪の反射率及び波浪の周期に大きく影響を受けることが判明した。また、遮水板単体の上下長Ｈは海洋の水深と取水口高さｈによって決まるが、遮水板の厚さは、比較的薄い方が波力の影響が少ないことが判明した。更に、遮水板単体の重量は、比較的重い方が波力の影響が少ないことが判明した。
【００５６】
いずれの場合でも、従来の剛構造の遮水板に比較して、本実施形態に係る懸垂式カーテンウォール遮水板組立体は、波力の１／９〜１／４と大幅に低減できることが確認された。即ち、波浪のエネルギーを透過するように遮水板２５が揺動すると、遮水板２５に対する波力の影響を３／４〜８／９低減することが確認された。これにより、支持部材２７も、従来の剛構造の遮水板に比較して簡便な部材で足りるようになり、従来の剛構造の遮水板の建設に必要な大規模で堅牢な杭打設工事、堅牢な遮水板を不要とし、その建設のための所用の日数、費用等を低減することが可能になった。
【００５７】
また、遮水板２５の振れ角αは、脚部２８，２９の設置角度を決定するために必須のデータである。実験の結果、遮水板２５の最大振れ角も護岸反射率及び波浪の周期によって大きく影響されることが確認された。しかし、いずれの場合も遮水板２５の最大振れ角は約２５度を超えないことが判明した。遮水板２５の最大振れ角を求め、これに対応して脚部２８，２９の設置角度を決定するとともに、脚部２８，２９の強度について確認した。
【００５８】
図８及び図５を参照すると、支持部材２７は、複数本の脚部２８，２９と、脚部連結部材３０，３１と、遮水板保持部材３２とから成っている。具体的には、脚部２８，２９は、例えば、鋼管杭からなり、海方向の各鋼管杭２９は陸地方向に傾き、陸地方向の各鋼管杭２８は海方向に傾いた斜杭となっている。脚部連結部材３０，３１及び遮水板保持部材３２は、例えば、鋼管からなる。これら支持部材２７は、好ましくは、海水の塩分に対して腐食しないように重防食処理が施されている。
【００５９】
鋼管杭からなる脚部２８，２９は、好ましくは、コンクリートで巻いた杭基礎（図示せず。）により海底２４に固定される。
【００６０】
遮水板保持部材３２に対して遮水板２５は、好ましくは、ヒンジ構造の様な係合部材３４によって、懸垂されている（即ち、吊り下げられている）。この係合部材３４は、遮水板２５を懸垂し、遮水板２５が波浪に追従して揺動可能であれば、任意の係合部材３４を使用することが出来る。係合部材３４は、取り外し可能であり、損傷した遮水板２５を随
時交換可能であることが好ましい。
【００６１】
一般に、隣接する遮水板２５は、相互に独立に懸垂される。
【００６２】
しかし、隣接する遮水板２５の間隙からの漏水により、取水された海水の温度が設計値より上昇するようであれば、隣接する遮水板２５を相互に連結部材（図示せず。）により連結することもできる。連結部材は、ワイヤ、チェーン等のような隣接する遮水板２５の相対的な動きを抑止するような部材でもよく、或いは、扇状に形成された防水膜のような隣接する遮水板２５の相対的な動きを許容するような部材（フレキシブル遮水性連結部材）でもよい。実質的に、遮水板２５の間からの漏水を封じる機能を果たせれば、任意の部材を採用できる。
【００６３】
更に、遮水板２５は、このような連結部材から取り外し可能であることが好ましい。ヒンジ構造３４及び連結部材が取り外し可能であることにより、損傷した遮水板２５を単体で交換することができる。遮水板単体が交換可能なことより、種々の長さＨの遮水板を予め用意しておくことにより、取水口ｈを変更することも出来る。
【００６４】
図８を参照されたい。遮水板２５は、典型的には鉄筋コンクリートで形成される。また、遮水板２５を浮体として、波力の係合部材３４に対する影響を減少させることもできる。
【００６５】
しかし、遮水板２５に要求される強度に応じて、遮水板２５は、例えば、外壁を普通コンクリートで形成し、隔壁としてＨ形綱を組み込んだ構造にすることもできる。
【００６６】
遮水板２５は、更に、周辺部に緩衝材３６を有し、該遮水板同士の接触破壊を防止することもできる。この場合、緩衝材３６の構造としては、例えば、主材のコンクリートの表面に対してポリウレタンを被覆する構造とすることもできる。
更に、遮水板２５は、内部空間に発泡スチロール等を充填し、重量を調整することもできる。重量調整の理由は、漏水による重量増加を防止するためである。また、遮水板２５の重量によっては、波浪周期により共振現象を起こし、懸垂式カーテンウォール遮水板組立体２０を破損するので、共振現象を起こさないためでもある。遮水板単体が交換可能なことより、種々の重さの遮水板を予め用意しておくことにより、波浪周期に対して共振現象を起こさない重量の遮水板に変更することも出来る。
【００６７】
図９（Ａ）は、懸垂式カーテンウォール遮水板組立体２０が設置された海岸を全体的に上方から見た図であり、図９（Ｂ）は、図９（Ａ）のI−I線断面図である。図９（Ａ）で見て、海岸線３７から上半分は海面３８であり、下半分は陸地３９である。矢印は波の押し寄せる方向を示している。海岸線３７にほぼ垂直方向に、三本の護岸工事２１，２２，２３がなされ、これら護岸の各先端部をつなぐように懸垂式カーテンウォール遮水板組立体２０が設置されている。海の沖方向から比較的低温の深層水が懸垂式カーテンウォール遮水板組立体２０の取水口を通って、貯水プール（「復水貯水槽」、「冷却水貯水槽」ともいう。）４０に蓄えられる。貯水プール４０の陸地方向には、貯水プール形成のための護岸４２が建設されている。
【００６８】
これら護岸４２の一部に、冷却水導入口４１が設けられ、貯水プール４０に蓄えられた深層水を冷却水として、火力発電又は原子力発電プラントの復水器（図示せず。）に導かれている。冷却水として利用された深層水は、取水とは別ルートの放水ルートを通って海域に温排水として放流される。
【００６９】
懸垂式カーテンウォール遮水板組立体の建設及び保守に関して説明する。建設時には、
ウォータジェット併用してパイブロハンマーを使用して、鋼管杭２８，２９を海底２４に打ち込む。鋼管杭を打設した後、頭部同士を鋼管３０，３１で連結する。予め、遮水板保持部材３２である鋼管、係合部材３４及び遮水板２５を組み立てておいて、起重機船により、これを杭頭部に設置する。その後、杭頭部を、コンクリート３３で固定する。なお、必要に応じて、隣接する遮水板２５を連結部材（図示せず。）で接続する。
【００７０】
建設後の保守時には、係合部材（ヒンジ構造）３４及び遮水板２５は、夫々交換可能であるので、損傷した又は所定の期間経過した係合部材３４及び遮水板２５は個別的に交換される。
【００７１】
本実施計他に係る懸垂式カーテンウォール遮水板組立体によれば、以上に説明した利点に加えて、従来の遮水板に比較して次のような利点がある。
(1)遮水板に対する波力が大幅に低減されることにより、脚部として使用する杭本数を減少でき、遮水板組立体建設の初期投資を抑制することができる。
(2)遮水板が波に追従して揺動する構造であるため、遮水板による波の反射が少なく、周辺海域に対する影響を小さくすることができる。
(3)脚部として使用する杭本数を減少することができるため、遮水版下方の取水口２６の有効幅が増加する。このため、所望の取水口面積を確保する場合、必要水深が浅くなり、その地点の浚渫量を減少することができる。これにより、当該海域の環境への影響を減らすことが出来る。
【００７２】
以上、本発明に係る懸垂式カーテンウォール遮水板組立体の実施形態について説明したが、本発明は上述した実施形態に限定されない。)本発明の用途は、発電プラントの冷却水取得に限定されない。その他の用途、例えば、飲料用の深層水取得の取水口、海水の温度差を利用した海水発電所における低温海水取得の取水口等に対しても利用できる。当業者は、種々の改変・改良を容易になし得るが、これらは全て本発明に含まれる。本発明の技術的範囲は、特許請求の範囲の記載に基づいて定められる。
【図面の簡単な説明】
【００７３】
【図１】図１は、従来の重力式構造のカーテンウォール式取水口の杭式構造を説明する図である。
【図２】図２は、従来の重力式構造の他のタイプのカーテンウォール式取水口の杭式構造を説明する図である。
【図３】図３は、図４と共に従来の柔構造のカーテンウォール式取水口を説明する図である。
【図４】図４は、図３と共に従来の柔構造のカーテンウォール式取水口を説明する図である。
【図５】図５は、本実施例に係る懸垂式カーテンウォール遮水板組立体を上方から見た平面図である。
【図６】図６は、図５に示す懸垂式カーテンウォール遮水板組立体の正面図である。
【図７】図７は、図５のI−I方向から見た断面図である。
【図８】図８は、図５に示す懸垂式カーテンウォール遮水板組立体を構成する遮水板単体を説明するための拡大斜視図である。
【図９】図９（Ａ）は、図５に示す懸垂式カーテンウォール遮水板組立体が設置された海岸を全体的に上方から見た図であり、図９（Ｂ）は、図９（Ａ）のI−I線断面図である。
【符号の説明】
【００７４】
２：水路口、  ３：カーテンウォール、  ４：遮水板（ＰＣ版）、  ５：鋼管杭、  ６：底版コンクリート、  ７：遮水板（ＰＣ版）、  ８：枢支部、  ９：アンカー（ボックスカルバート）、  １０：深層水取水用の開口部、１１：枢支部、  １２：浮体、１３：    、  ２０：懸垂式カーテンウォール遮水板組立体、  ２１：護岸、  ２２：護岸、
２４：海底、  ２５：遮水板、  ２６：取水口、  ２７：支持部材、  ２８：脚部（鋼管杭）、  ２９：脚部（鋼管杭）、  ３０：脚部連結部材（鋼管）、  ３１：脚部連結部材（鋼管）、  ３２：遮水板保持部材、  ３３：頭部カバー、  ３４：係合部材、  ３５：現在の海面、  ３６：緩衝材、  ３７：海岸線、  ３８：海面、  ３９：陸地、  ４０：貯水プール、  ４１冷却水導入口、  ４２：護岸        
【図１】
2005105720.tif 000003
【図２】
2005105720.tif 000004
【図３】
2005105720.tif 000005
【図４】
2005105720.tif 000006
【図５】
2005105720.tif 000007
【図６】
2005105720.tif 000008
【図７】
2005105720.tif 000009
【図８】
2005105720.tif 000010
【図９】
2005105720.tif 000011